(57)【要約】 【課題】  現在放送されている放送番組などに対する第三者の評価を視聴者に提供するコンテンツ情報提供装置、コンテンツ情報提供装置を含む通信システム、通信システムを構成する解析サーバ装置、コンテンツ情報提供プログラムおよびコンテンツ情報提供方法を提供する。【解決手段】  放送局または放送番組に対応する掲示板サーバ装置にアクセスして掲示板データを取得する。取得した掲示板データから前回の掲示板データ取得時刻以降の書き込みメッセージ数を、放送局ごとにカウントし、１分間当たりの書き込みメッセージ数を算出する。算出された書き込みメッセージ数に基づいて、最も書き込みメッセージ数が多い放送局を抽出する。抽出された放送局の放送局名または放送局で放送されている番組名をディスプレイ１９の画面に表示させる。また、抽出された放送局で放送されている番組をピクチャインピクチャ形式で副画面に表示するようにしてもよい。【選択図】      図２
2007060305.tif 000002
【特許請求の範囲】
【請求項１】
配信されるコンテンツに関連し、不特定多数の第三者によって入力されるコンテンツ関連情報が蓄積されるサーバ装置とデータ通信可能に構成されるコンテンツ情報提供装置であって、
前記サーバ装置から前記コンテンツ関連情報を取得する取得手段と、
取得したコンテンツ関連情報の解析を行う解析手段と、
前記解析手段による解析結果に基づく解析情報を、前記コンテンツを表示する表示装置に出力する出力手段とを備えることを特徴とするコンテンツ情報提供装置。
【請求項２】
前記コンテンツは、放送局から配信される放送番組であることを特徴とする請求項１記載のコンテンツ情報提供装置。
【請求項３】
前記コンテンツ関連情報は、放送局または放送番組ごとに対応して電子掲示板に書き込まれるメッセージであることを特徴とする請求項２記載のコンテンツ情報提供装置。
【請求項４】
前記解析手段は、放送局または放送番組ごとに書き込まれるメッセージ数を計数することを特徴とする請求項３記載のコンテンツ情報提供装置。
【請求項５】
前記出力手段は、書き込まれるメッセージ数が最も多い放送局名または放送番組名を解析情報として出力することを特徴とする請求項４記載のコンテンツ情報提供装置。
【請求項６】
前記出力手段は、書き込まれるメッセージ数が多い順に選択した複数の放送局名または放送番組名を解析情報として出力することを特徴とする請求項４記載のコンテンツ情報提供装置。
【請求項７】
放送局から配信される放送番組を受信するチューナを備え、
前記出力手段は、書き込まれるメッセージ数が最も多い放送番組を前記チューナに受信させて出力することを特徴とする請求項６記載のコンテンツ情報提供装置。
【請求項８】
放送局から配信される放送番組を受信するチューナを複数備え、
前記出力手段は、書き込まれるメッセージ数が最も多い放送番組を前記チューナの１つで受信させ、副画面表示用に出力することを特徴とする請求項６記載のコンテンツ情報提供装置。
【請求項９】
放送局から配信される放送番組を受信するチューナと、
受信した放送番組を録画する録画手段とを備え、
前記録画手段は、書き込まれるメッセージ数が最も多い放送番組を前記チューナに受信させて録画することを特徴とする請求項６記載のコンテンツ情報提供装置。
【請求項１０】
前記解析手段は、予め定める文字列が含まれるメッセージを抽出することを特徴とする請求項３記載のコンテンツ情報提供装置。
【請求項１１】
前記出力手段は、抽出されたメッセージに対応する放送局名または放送番組名を解析情報として出力することを特徴とする請求項１０記載のコンテンツ情報提供装置。
【請求項１２】
放送局から配信される放送番組を受信するチューナを備え、
前記出力手段は、抽出されたメッセージに対応する放送番組を前記チューナに受信させて出力することを特徴とする請求項１１記載のコンテンツ情報提供装置。
【請求項１３】
放送局から配信される放送番組を受信するチューナを複数備え、
前記出力手段は、抽出されたメッセージに対応する放送番組を前記チューナの１つで受信させ、副画面表示用に出力することを特徴とする請求項１１記載のコンテンツ情報提供装置。
【請求項１４】
放送局から配信される放送番組を受信するチューナと、
受信した放送番組を録画する録画手段とを備え、
前記録画手段は、抽出されたメッセージに対応する放送番組を前記チューナに受信させて録画することを特徴とする請求項１１記載のコンテンツ情報提供装置。
【請求項１５】
前記出力手段は、抽出されたメッセージに対応する放送局名または放送番組名と、抽出されたメッセージとを解析情報として出力することを特徴とする請求項１０記載のコンテンツ情報提供装置。
【請求項１６】
コンピュータを、請求項１〜１５のいずれか１つに記載のコンテンツ情報提供装置として機能させるためのコンテンツ情報提供プログラム。
【請求項１７】
配信されるコンテンツに関連し、不特定多数の第三者によって入力されるコンテンツ関連情報が蓄積される蓄積サーバ装置と、データ通信可能に構成されるコンテンツ情報提供装置と、前記蓄積サーバ装置および前記コンテンツ情報提供装置とデータ通信可能に構成される解析サーバ装置とを含む通信システムであって、
前記解析サーバ装置は、
前記蓄積サーバ装置から前記コンテンツ関連情報を取得する取得手段と、
取得したコンテンツ関連情報の解析を行う解析手段と、
前記解析手段による解析結果を前記コンテンツ情報提供装置に送信する送信手段とを備え、
前記コンテンツ情報提供装置は、
前記解析結果を前記解析サーバ装置から受信する受信手段と、
前記解析結果に基づく解析情報を、前記コンテンツを表示する表示装置に出力する出力手段とを備えることを特徴とする通信システム。
【請求項１８】
請求項１７記載の通信システムを構成する解析サーバ装置であって、
前記送信手段は、前記コンテンツ情報提供装置からの要求に応じて前記解析結果を送信することを特徴とする解析サーバ装置。
【請求項１９】
配信されるコンテンツに関連し、不特定多数の第三者によって入力されるコンテンツ関連情報に基づく情報を提供するコンテンツ情報提供方法であって、
コンテンツ関連情報を取得するステップと、
取得したコンテンツ関連情報の解析を行うステップと、
前記解析手段による解析結果を出力するステップとを含むことを特徴とするコンテンツ情報提供方法。
【発明の詳細な説明】
【技術分野】
【０００１】
本発明は、配信されるコンテンツに関連し、不特定多数の第三者によって入力されるコンテンツ関連情報が蓄積されるサーバ装置とデータ通信可能に構成されるコンテンツ情報提供装置、コンテンツ情報提供装置を含む通信システム、通信システムを構成する解析サーバ装置、コンテンツ情報提供プログラムおよびコンテンツ情報提供方法に関する。
【背景技術】
【０００２】
インターネットの利用目的には、ウェブページの閲覧などによる各種情報の取得、電子メールの送受信や電子掲示板による他者とのコミュニケーションなどがある。電子掲示板は、ＢＢＳ（Bulletin Board System）とも呼ばれ、電子メールのような１対１のコミュニケーションではなく、１対多のコミュニケーションを可能にするソフトウェアシステムである。あるユーザがＢＢＳにメッセージを書き込むと、そのメッセージは、ＢＢＳ用サーバにアクセス可能な不特定多数のユーザに見えるようになる。それを見たユーザは、そのメッセージに対してさらに返答を書き込むことができる。この返答も他のユーザに公開される。
【０００３】
ＢＢＳは、非常に多くのユーザが多種多様な話題についてメッセージの書き込みを行うため、話題やテーマ、目的ごとに書き込むべき掲示板が設定されており、ユーザは自分の目的に応じた掲示板を探し出して、他のユーザの書き込み内容を閲覧したり、自らメッセージを書き込むことでコミュニケーションや情報の共有化を行っている。
【０００４】
ＢＢＳに設定される話題の１つに、放送局から配信されるテレビジョン放送の番組内容がある。特に、現在放送されている番組についての感想などをリアルタイムで複数のユーザが掲示板に書き込むことで、いわゆるチャットのように掲示板が利用される。しかしながら、掲示板に書き込まれたメッセージを後から見たユーザの場合、話題となっている番組の配信が既に終わっていたり、話題となっているシーンを見逃してしまうことがある。
【０００５】
これに対してテレビジョン放送の番組などに関する電子掲示板に特化した技術が開発されている。たとえば、掲示板に番組についてコメントを書き込む際に、コメントの対象となる番組のシーンがどの放送チャンネルで、いつ放送されたものかを示す情報も同時に書き込むことができる。これによって、掲示板のユーザは、書き込まれたコメントを見ながら、簡単に録画された番組の中から該当のシーンを再生することができる（特許文献１〜３参照）。
【０００６】
また、テレビジョン放送の供給者が、自分が供給する番組を優先的に視聴させることを目的とする情報提供装置（特許文献４参照）や、メタ情報提供サービス装置が、ユーザの趣向に応じてメタ情報を作成し、ユーザ端末は、作成されたメタ情報に基づいて所定の番組を受信するように制御されるサービスシステム（特許文献５参照）なども開発されている。
【０００７】
【特許文献１】特開２００３−３３９００６号公報
【特許文献２】特開２００３−３４８５０４号公報
【特許文献３】特開２００４−３０３２７号公報
【特許文献４】特開２００２−３３５５１５号公報
【特許文献５】特開２００４−１５９０４０号公報
【発明の開示】
【発明が解決しようとする課題】
【０００８】
特許文献１〜３記載のコンテンツ記録再生装置、コンテンツ関連情報提供装置は、コメントを書き込むユーザが放送チャンネルおよび放送日時などの情報を入力する必要があり、電子掲示板に関連する操作が煩雑である。録画された番組を再生する場合には、適しているが、現在放送されている番組を視聴している場合には、該当のシーンを見逃すなどの問題が残る。
【０００９】
特許文献４記載の情報提供装置、特許文献５記載のサービスシステムの場合、視聴者は、現在放送されている番組のうち、所定の番組を見ることができるが、ここでの所定の番組とは、テレビジョン放送の供給者が視聴させたい番組であったり、視聴者個人の趣向に応じた番組であり、電子掲示板で不特定多数のユーザが話題にしている番組を見ることはできない。
【００１０】
本発明の目的は、現在放送されている放送番組などに対する第三者の評価を視聴者に提供するコンテンツ情報提供装置、コンテンツ情報提供装置を含む通信システム、通信システムを構成する解析サーバ装置、コンテンツ情報提供プログラムおよびコンテンツ情報提供方法を提供することである。
【課題を解決するための手段】
【００１１】
本発明は、配信されるコンテンツに関連し、不特定多数の第三者によって入力されるコンテンツ関連情報が蓄積されるサーバ装置とデータ通信可能に構成されるコンテンツ情報提供装置であって、
前記サーバ装置から前記コンテンツ関連情報を取得する取得手段と、
取得したコンテンツ関連情報の解析を行う解析手段と、
前記解析手段による解析結果に基づく解析情報を、前記コンテンツを表示する表示装置に出力する出力手段とを備えることを特徴とするコンテンツ情報提供装置である。
【００１２】
また本発明は、前記コンテンツは、放送局から配信される放送番組であることを特徴とする。
【００１３】
また本発明は、前記コンテンツ関連情報は、放送局または放送番組ごとに対応して電子掲示板に書き込まれるメッセージであることを特徴とする。
【００１４】
また本発明は、前記解析手段は、放送局または放送番組ごとに書き込まれるメッセージ数を計数することを特徴とする。
【００１５】
また本発明は、前記出力手段は、書き込まれるメッセージ数が最も多い放送局名または放送番組名を解析情報として出力することを特徴とする。
【００１６】
また本発明は、前記出力手段は、書き込まれるメッセージ数が多い順に選択した複数の放送局名または放送番組名を解析情報として出力することを特徴とする。
【００１７】
また本発明は、放送局から配信される放送番組を受信するチューナを備え、
前記出力手段は、書き込まれるメッセージ数が最も多い放送番組を前記チューナに受信させて出力することを特徴とする。
【００１８】
また本発明は、放送局から配信される放送番組を受信するチューナを複数備え、
前記出力手段は、書き込まれるメッセージ数が最も多い放送番組を前記チューナの１つで受信させ、副画面表示用に出力することを特徴とする。
【００１９】
また本発明は、放送局から配信される放送番組を受信するチューナと、
受信した放送番組を録画する録画手段とを備え、
前記録画手段は、書き込まれるメッセージ数が最も多い放送番組を前記チューナに受信させて録画することを特徴とする。
【００２０】
また本発明は、前記解析手段は、予め定める文字列が含まれるメッセージを抽出することを特徴とする。
【００２１】
また本発明は、前記出力手段は、抽出されたメッセージに対応する放送局名または放送番組名を解析情報として出力することを特徴とする。
【００２２】
また本発明は、放送局から配信される放送番組を受信するチューナを備え、
前記出力手段は、抽出されたメッセージに対応する放送番組を前記チューナに受信させて出力することを特徴とする。
【００２３】
また本発明は、放送局から配信される放送番組を受信するチューナを複数備え、
前記出力手段は、抽出されたメッセージに対応する放送番組を前記チューナの１つで受信させ、副画面表示用に出力することを特徴とする。
【００２４】
また本発明は、放送局から配信される放送番組を受信するチューナと、
受信した放送番組を録画する録画手段とを備え、
前記録画手段は、抽出されたメッセージに対応する放送番組を前記チューナに受信させて録画することを特徴とする。
【００２５】
また本発明は、前記出力手段は、抽出されたメッセージに対応する放送局名または放送番組名と、抽出されたメッセージとを解析情報として出力することを特徴とする。
【００２６】
また本発明は、コンピュータを、上記のコンテンツ情報提供装置として機能させるためのプログラムである。
【００２７】
また本発明は、配信されるコンテンツに関連し、不特定多数の第三者によって入力されるコンテンツ関連情報が蓄積される第１サーバ装置と、データ通信可能に構成されるコンテンツ情報提供装置と、前記第１サーバ装置および前記コンテンツ情報提供装置とデータ通信可能に構成される第２サーバ装置とを含む通信システムであって、
前記第２サーバ装置は、
前記第１サーバ装置から前記コンテンツ関連情報を取得する取得手段と、
取得したコンテンツ関連情報の解析を行う解析手段と、
前記解析手段による解析結果を前記コンテンツ情報提供装置に送信する送信手段とを備え、
前記コンテンツ情報提供装置は、
前記解析結果を前記第２サーバ装置から受信する受信手段と、
前記解析結果に基づく解析情報を、前記コンテンツを表示する表示装置に出力する出力手段とを備えることを特徴とする通信システムである。
【００２８】
また本発明は、上記の通信システムを構成する解析サーバ装置であって、
前記送信手段は、前記コンテンツ情報提供装置からの要求に応じて前記解析結果を送信することを特徴とする解析サーバ装置である。
【００２９】
また本発明は、配信されるコンテンツに関連し、不特定多数の第三者によって入力されるコンテンツ関連情報に基づく情報を提供するコンテンツ情報提供方法であって、
コンテンツ関連情報を取得するステップと、
取得したコンテンツ関連情報の解析を行うステップと、
前記解析手段による解析結果を出力するステップとを含むことを特徴とするコンテンツ情報提供方法である。
【発明の効果】
【００３０】
本発明によれば、配信されるコンテンツに関連し、不特定多数の第三者によって入力されるコンテンツ関連情報が蓄積されるサーバ装置とデータ通信可能に構成されるコンテンツ情報提供装置である。
【００３１】
まず取得手段が前記サーバ装置から前記コンテンツ関連情報を取得し、解析手段によって取得したコンテンツ関連情報の解析を行う。出力手段は、前記解析手段による解析結果に基づく解析情報を、前記コンテンツを表示する表示装置に出力する。
【００３２】
また本発明によれば、前記コンテンツは、放送局から配信される放送番組であり、前記コンテンツ関連情報は、放送局または放送番組ごとに対応して電子掲示板に書き込まれるメッセージである。
【００３３】
これにより、現在放送されている放送番組などのコンテンツに対して入力される第三者のコメントを、電子掲示板のメッセージなどによって取得し、これを解析することで第三者の評価を視聴者に提供することができる。
【００３４】
また本発明によれば、前記解析手段によって、放送局または放送番組ごとに書き込まれるメッセージ数を計数する。
【００３５】
また本発明によれば、書き込まれるメッセージ数が最も多い放送局名または放送番組名を、前記出力手段が解析情報として出力する。
【００３６】
これにより、書き込まれるメッセージ数が最も多い放送番組、すなわち現在最も注目されている放送番組を視聴者に知らせることができる。
【００３７】
また本発明によれば、書き込まれるメッセージ数が多い順に選択した複数の放送局名または放送番組名を、前記出力手段が解析情報として出力する。
これにより、現在注目されている複数の放送番組を視聴者に知らせることができる。
【００３８】
また本発明によれば、放送局から配信される放送番組を受信するチューナを備えており、前記出力手段は、書き込まれるメッセージ数が最も多い放送番組を前記チューナに受信させて出力する。
【００３９】
これにより、視聴者はチャンネルの切り替え操作などを行わなくても、注目されている放送番組を視聴することができる。
【００４０】
また本発明によれば、放送局から配信される放送番組を受信するチューナを複数備えており、前記出力手段は、書き込まれるメッセージ数が最も多い放送番組を前記チューナの１つで受信させ、副画面表示用に出力する。
【００４１】
これにより、ピクチャインピクチャ形式で、現在注目されている番組を表示させることができる。
【００４２】
また本発明によれば、放送局から配信される放送番組を受信するチューナを備え、録画手段によって受信した放送番組を録画する。この録画手段は、書き込まれるメッセージ数が最も多い放送番組を前記チューナに受信させて録画する。
【００４３】
これにより、放送時には注目されるシーンを見逃したとしても録画データを再生することで見ることができる。
【００４４】
また本発明によれば、前記解析手段は、予め定める文字列が含まれるメッセージを抽出する。
【００４５】
また本発明によれば、前記出力手段は、抽出されたメッセージに対応する放送局名または放送番組名を解析情報として出力する。
【００４６】
これにより、他の多くの視聴者には注目されていないような放送番組であっても視聴者が所望の放送番組を見ることができる。
【００４７】
また本発明によれば、放送局から配信される放送番組を受信するチューナを備えており、前記出力手段は、抽出されたメッセージに対応する放送番組を前記チューナに受信させて出力する。
【００４８】
これにより、視聴者はチャンネルの切り替え操作などを行わなくても、所望の放送番組を視聴することができる。
【００４９】
また本発明によれば、放送局から配信される放送番組を受信するチューナを複数備えており、前記出力手段は、抽出されたメッセージに対応する放送番組を前記チューナの１つで受信させ、副画面表示用に出力する。
これにより、ピクチャインピクチャ形式で、所望の番組を表示させることができる。
【００５０】
また本発明によれば、放送局から配信される放送番組を受信するチューナを備え、録画手段によって受信した放送番組を録画する。この録画手段は、抽出されたメッセージに対応する放送番組を前記チューナに受信させて録画する。
【００５１】
これにより、放送時には所望のシーンを見逃したとしても録画データを再生することで見ることができる。
【００５２】
また本発明によれば、前記出力手段は、抽出されたメッセージに対応する放送局名または放送番組名と、抽出されたメッセージとを解析情報として出力する。
これにより、視聴者は、他の視聴者の評価を確認することができる。
【００５３】
また本発明によれば、コンピュータを、上記のコンテンツ情報提供装置として機能させるためのコンテンツ情報提供プログラムとして提供することができる。
【００５４】
また本発明によれば、配信されるコンテンツに関連し、不特定多数の第三者によって入力されるコンテンツ関連情報が蓄積される蓄積サーバ装置と、データ通信可能に構成されるコンテンツ情報提供装置と、前記蓄積サーバ装置および前記コンテンツ情報提供装置とデータ通信可能に構成される解析サーバ装置とを含む通信システムである。
【００５５】
前記解析サーバ装置では、取得手段が前記蓄積サーバ装置から前記コンテンツ関連情報を取得し、解析手段によって取得したコンテンツ関連情報の解析を行う。送信手段は、前記解析手段による解析結果を前記コンテンツ情報提供装置に送信する。
【００５６】
前記コンテンツ情報提供装置では、受信手段が前記解析結果を前記解析サーバ装置から受信すると、出力手段が前記解析結果に基づく解析情報を、前記コンテンツを表示する表示装置に出力する。
【００５７】
これにより、現在放送されている放送番組などのコンテンツに対して入力される第三者のコメントを、電子掲示板のメッセージなどによって取得し、これを解析することで第三者の評価を視聴者に提供することができる。さらに、コンテンツ情報提供装置の演算量を低減させることができる。
【００５８】
また本発明によれば、上記の通信システムを構成する解析サーバ装置であって、前記送信手段は、前記コンテンツ情報提供装置からの要求に応じて前記解析結果を送信する。
【００５９】
これにより、必要に応じて解析結果をコンテンツ情報提供装置に送信することができる。
【００６０】
また本発明によれば、配信されるコンテンツに関連し、不特定多数の第三者によって入力されるコンテンツ関連情報に基づく情報を提供するコンテンツ情報提供方法である。
【００６１】
まず前記コンテンツ関連情報を取得し、取得したコンテンツ関連情報の解析を行って解析結果に基づく解析情報を、前記コンテンツを表示する表示装置に出力する。
【００６２】
これにより、現在放送されている放送番組などのコンテンツに対して入力される第三者のコメントを、電子掲示板のメッセージなどによって取得し、これを解析することで第三者の評価を視聴者に提供することができる。
【発明を実施するための最良の形態】
【００６３】
図１は、本発明の実施の一形態であるテレビジョン信号受信装置（以下では「テレビ受信装置」と略称する）１を含む通信システム１００の構成を示す図である。
【００６４】
テレビ受信装置１は、テレビジョン信号を受信し、周波数などに応じて各放送局から配信されるテレビ放送番組を切り替えて表示するコンテンツ情報提供装置である。さらに、インターネット３を介して所定の掲示板サーバ２にリクエストを発行し、そのレスポンスを受信して解析することで、放送局（チャンネル）、または放送番組に関する第三者の評価を視聴者に提供することができる。
【００６５】
第１掲示板サーバ２ａ、第２掲示板サーバ２ｂ、・・・、第ｎ掲示板サーバ２ｎ（これらをまとめて掲示板サーバ２と呼ぶことがある）は、パーソナルコンピュータ（ＰＣ）やワークステーション（ＷＳ）で実現されるインターネットサーバ装置であり、掲示板プログラムを実行する蓄積サーバ装置である。多くの場合、掲示板プログラムはウェブサーバプログラムとして構成され、インターネット３に接続された特定、または不特定多数の接続端末４からのＨＴＴＰ（Hyper Text Transfer Protocol）リクエストとして掲示板操作に関するコマンドが実行される。接続端末４は、ＰＣや携帯電話装置で動作するウェブブラウザや専用アプリケーションを利用して掲示板サーバ２にアクセスを行う。
【００６６】
接続端末４からのメッセージ書き込みコマンドにより、掲示板サーバ装置２にメッセージが蓄積され、接続端末４からのメッセージ読み出しコマンドにより、掲示板サーバ装置２は蓄積されたメッセージの一部、あるいはすべてを読み出して、接続端末４に対して送信する。送信される掲示板データには、書き込まれたメッセージの内容、書き込みを行ったユーザ名、書き込みを行った時刻などが含まれる。
【００６７】
回線終端装置５は、インターネットと接続するための接続回線が光ファイバーケーブルで構成されるとき、光信号を電気信号に変換し、Ethernet（登録商標）接続を可能とするためのＯＮＵ（Optical Network Unit）と呼ばれる変換装置である。インターネットと接続するための接続回線が電話回線の場合には回線終端装置５の代わりにモデム装置が設置される。
【００６８】
図２は、テレビ受信装置１の構成を示すブロック図である。テレビ受信装置１は、ＣＰＵ（中央演算処理装置）１１、記憶部１２、ネットワーク接続部１３、フレームバッファ１４、リモコン受光部１５、映像合成部１６、主チューナ１７、副チューナ１８、ディスプレイ１９を含んで構成される。
【００６９】
ＣＰＵ１１は、記憶部１２に格納された各種プログラムを実行することで、接続された各部の制御を行う制御手段である。記憶部１２は、プログラム格納用メモリ１２０、プログラム実行用ワークメモリ１２１、データ記憶用不揮発性メモリ１２２を備える。
【００７０】
プログラム格納用メモリ１２０は、ＲＯＭ（Read Only Memory）やフラッシュメモリー、ＨＤＤ（Hard Disk Drive）など、永続的にデータを保持できるメモリ装置で構成され、設定プログラム１２０ａ、インターネット接続プログラム１２０ｂ、掲示板データ解析プログラム１２０ｃ、表示制御プログラム１２０ｄを記憶する。
【００７１】
プログラム実行用ワークメモリ１２１は、データの書き換えが可能なＲＡＭ（Random
Access Memory）で構成され、掲示板データ格納部１２１ａ、表示データ計算一時格納部１２１ｂを備える。プログラム実行用ワークメモリ１２１は、プログラム格納用メモリ１２０に格納されている各種プログラムを実行する際に、ワークエリアとして使用される。
【００７２】
データ記憶用不揮発性メモリ１２２は、フラッシュメモリー、ＨＤＤなどの書き換え可能な不揮発性メモリ装置で構成され、放送局・掲示板対応テーブル格納部１２２ａ、嗜好情報格納部１２２ｂを備える。データ記憶用不揮発性メモリ１２２は、テレビ受信装置１の設定データ、ユーザ固有のデータなどを格納することができる。
【００７３】
ネットワーク接続部１３は、ネットワーク３に物理的に接続するための受信手段である。有線接続の場合は、Ethernet接続するためのネットワークコントローラで構成され、無線接続の場合は、無線ＬＡＮ（Local Area Network）に接続するための無線ＬＡＮコントローラで構成される。
【００７４】
フレームバッファ１４は、テレビジョン映像に重ねて表示する文字、画像などを格納するためのビデオメモリである。
【００７５】
リモコン受光部１５は、ユーザが操作する不図示のリモコン（リモートコントローラ）から送信される赤外線を受信する赤外線受光部である。
【００７６】
映像合成部１６は、デコードされた主チューナ１７からの入力映像、副チューナ１８からの入力映像、およびフレームバッファ１４に格納される映像を合成し、スケーリングすることで、映像信号としてディスプレイ１９に出力するためのプロセッサである。
【００７７】
主チューナ１７および副チューナ１８は、放送局から配信されるコンテンツである放送番組を受信するためのアナログチューナ、またはデジタルチューナである。放送番組は、放送局から電波により配信されてもよいし、ケーブルなどを通じて配信されてもよい。
【００７８】
ディスプレイ１９は、液晶ディスプレイ、プラズマディスプレイなどのフラットディスプレイ、ＣＲＴ（Cathode Ray Tube）などで構成され、映像合成部１６から出力される映像信号に基づいてテレビ放送番組の映像など表示する表示手段である。
【００７９】
以下では、記憶部１２に記憶されている各プログラム、および各格納部について説明する。
【００８０】
設定プログラム１２０ａは、各放送局の設定、各放送局に対応する掲示板サーバ２の設定、ユーザの嗜好情報の設定などを行うためのプログラムである。設定プログラム１２０ａは、たとえば、リモコンの「設定」とかかれたボタンがユーザによって操作されたときに起動するようにすればよい。このプログラムは、フレームバッファ１４にユーザからの入力を促すためのグラフィカルユーザインターフェイス画面データを転送し、リモコン受光部１５で受信する赤外線に含まれるコマンドやパラメータに応じて画面データを書き換えながら、最終的に決定された設定値をデータ記憶用不揮発性メモリ１２２に書き込む処理を行う。
【００８１】
インターネット接続プログラム１２０ｂは、放送局・掲示板対応テーブル格納部１２２ａに格納されたサーバ装置１２と放送局または放送番組との対応にしたがって、一定時間毎に掲示板サーバ２に順に接続し、最新の掲示板データを取得するためのプログラムである。このプログラムによって、ネットワーク接続部１３を制御し、ＴＣＰ／ＩＰ
（Transmission Control Protocol/Internet Protocol）、ＨＴＴＰなどのしかるべきプロトコルを用いて掲示板サーバ２とデータ通信を行う。リクエストにより取得された最新の掲示板データは、掲示板データ格納部１２１ａに、放送局または放送番組ごとに格納される。
【００８２】
掲示板データ解析プログラム１２０ｃは、掲示板データ格納部１２１ａに、放送局ごとに格納された最新の掲示板データを解析するプログラムである。
【００８３】
具体的な解析方法としては様々なものが考えられるが、一例としては、単位時間当たりの書き込みメッセージ数を算出する方法がある。前回取得し格納されている掲示板データとの差分を調べ、新たに書き込まれたメッセージ数を計数し、前回掲示板サーバ２に接続した時刻からの経過時間で除算することで、たとえば１分間当たりの書き込みメッセージ数を算出する。これを放送局ごとに行い、算出した値と放送局とを対応付けて表示データ計算一時格納部１２１ｂに格納する。
【００８４】
解析方法の他の例としては、ユーザがあらかじめ設定したキーワード群に合致する文字データが１分間あたり何回書き込まれたかを算出する方法がある。この場合、単純に書き込まれたメッセージとの文字列照合を行うのではなく、形態素解析とよばれる文章の単語分割処理を予め行うことによって、解析精度がより向上する。
【００８５】
解析方法のさらに他の例としては、新たに書き込まれたメッセージの中で、最も多く出現した単語を抽出する方法がある。新たに書き込まれた書き込みメッセージに出現する各単語の出現頻度をカウントし、最も頻度が高い単語を抽出する。これを放送局ごとに行い、抽出した単語と放送局とを対応付けて表示データ計算一時格納部１２１ｂに頻度とともに格納する。たとえば、ある放送局にて放送中のスポーツ番組において、選手が途中出場した場合、その選手に関する書き込みメッセージが増加し、その選手の名前が、最も頻度が高い単語として抽出される。また、この方法の場合も単語の出現頻度のカウントを行う前に予め形態素解析を行うとよい。単語の頻度カウントの際は主に名詞などをカウントし、不要な単語のカウントは行わないようにあらかじめ除去するのが望ましい。
【００８６】
ユーザは、必ずしも書き込まれたメッセージ数が多い番組などを見たいとは限らず、メッセージにユーザが注目するキーワードが現れたときにその番組を見たい場合がある。このような場合に対応するために、解析方法のさらに他の例として、予め設定されたキーワードが書き込みメッセージに含まれていた場合、そのメッセージが書き込まれた掲示板サーバに対応する放送局を抽出する方法がある。
【００８７】
表示制御プログラム１２０ｄは、掲示板データ解析プログラム１２０ｃによって算出され、表示データ計算一時格納部１２１ｂに格納された解析結果をもとにディスプレイ１９に表示させる映像の内容を制御する。たとえば、表示データ計算一時格納部１２１ｂに格納された単位時間当たりの書き込みメッセージ数をもとに、最も書き込みメッセージ数の多かった上位３つの放送局をメッセージ数の多い順にソートして抽出し、その放送局名と、放送局に割り当てられたチャンネルなどを文字列の画像データとしてフレームバッファ１４に転送する。なお、書き込みメッセージ数の多い上位の放送局を抽出する際に、各放送局の全体の書き込みメッセージ数を補正値として用い、全体的に書き込みメッセージ数の少ない掲示板では比較的少ない書き込みメッセージ数であっても上位に抽出するようにしてもよい。
【００８８】
取得手段は、ＣＰＵ１１およびプログラム格納用メモリ１２０（インターネット接続プログラム１２０ｂ）で構成され、解析手段は、ＣＰＵ１１およびプログラム格納用メモリ１２０（掲示板データ解析プログラム１２０ｃ）で構成され、出力手段は、ＣＰＵ１１およびプログラム格納用メモリ１２０（表示制御プログラム１２０ｄ）で構成される。
【００８９】
フレームバッファ１４に格納された画像データと、主チューナ１７で受信している放送番組の映像とを合成して表示するように映像合成部１６を制御する。ディスプレイ１９には、受信している放送番組の映像を表示するとともに、最近書き込みメッセージ数が多かった放送局名などが重ねて表示されることになる。
【００９０】
テレビ受信装置１がＥＰＧ（Electronic Program Guide）を取得する機能が備えられている場合、表示するのは放送局名ではなく、現在その放送局で放送中の番組名を表示するのが好ましい。ＥＰＧの取得は、既存の方法で行うことができる。ＥＰＧを蓄積および配信するＥＰＧサーバがインターネット３に接続されており、このＥＰＧサーバにアクセスしてＥＰＧを取得する方法がある。ＥＰＧは、放送局ごとに、各提供時間枠で提供される放送番組のタイトル、ジャンル、出演者名などのキーワードを含むインデックスを有する。また、放送局から配信されるデジタルコンテンツ信号や、アナログテレビジョン放送電波における映像信号の垂直帰線区間（Vertical Blanking Interval；略称：ＶＢＩ）に重畳されたＥＰＧを取得することもできる。
【００９１】
さらに、出現頻度が高かった単語を放送局名または番組名などと一緒に表示してもよい。
【００９２】
また、放送局名または番組名を表示する際に、最近の書き込みメッセージ数が予め定められた一定数を上回っている場合には、表示する文字の色などを変更し、強調して表示されるようにしてもよい。
【００９３】
また、書き込みメッセージ数が最も多かった放送局が、主チューナ１７で受信している放送局とは異なる場合は、書き込みメッセージ数が最も多かった放送局の番組を副チューナ１８で受信し、ディスプレイ１９の画面にピクチャインピクチャ形式で表示するように映像合成部１６を制御してもよい。
【００９４】
ユーザが予め定める文字列であるキーワードを設定していた場合は、そのキーワードを含むメッセージが書き込まれた掲示板サーバに対応する放送局名または番組名を抽出し、抽出された放送局名や番組名を画面に表示したり、その放送局の番組を副チューナ１８で受信し、ピクチャインピクチャ形式で表示してもよい。
【００９５】
掲示板データ格納部１２１ａは、インターネット接続プログラム１２０ｂによって各放送局に対応する掲示板サーバから取得された掲示板データを格納するメモリ領域である。表示データ計算一時格納部１２１ｂは、掲示板データ解析プログラム１２０ｃによる掲示板データの解析結果を格納するメモリ領域である。放送局・掲示板対応テーブル格納部１２２ａは、設定プログラム１２０ａによって設定された、放送局と掲示板サーバ２との対応関係を示すテーブルおよび各掲示板サーバ２のインターネットアドレスを格納するメモリ領域である。嗜好情報格納部１２２ｂは、設定プログラム１２０ａによって設定された、ユーザが視聴を希望する内容に関するキーワード文字列を格納する。このキーワード文字列は必ずしも設定プログラム１２０ａによってユーザが手動で入力する必要はなく、ＥＰＧやユーザの番組視聴履歴からユーザの好む番組に関連するキーワードを自動的に生成してもよい。
【００９６】
図３は、掲示板データ解析結果表示処理を示すフローチャートである。
掲示板データ解析結果表示処理は、所定の時間間隔で実行される。ステップＳ１で、インターネット接続プログラムを実行し、ステップＳ２で、掲示板データ解析プログラムを実行し、ステップＳ３で、表示制御プログラムを実行する。
【００９７】
図４は、インターネット接続処理を示すフローチャートである。
ステップＳ１１では、放送局・掲示板対応テーブル格納部１２２ａに格納されているテーブルに基づいて各掲示板サーバ２のインターネットアドレスを取得する。ステップＳ１２では、各掲示板サーバ２に対してＨＴＴＰリクエストを送信する。ステップＳ１３では、レスポンスとして受信した掲示板データを掲示板データ格納部１２１ａに格納する。
【００９８】
図５は、掲示板データを説明するための図である。図５（ａ）は、掲示板データの構造を示す図であり、図５（ｂ）は、掲示板データのソース表示した図である。掲示板データは、図５（ａ）に示すように、ユーザ名２０、書き込み時刻２１、メッセージの内容２２で構成される。掲示板データは、ＨＴＭＬ（Hyper Text Markup Language）形式またはＸＭＬ（eXtensible Markup Language）形式で記述される。図５（ｂ）に示すように、書き込みが行われた時刻は、ＸＭＬタグなどの区切り情報をもとにしてこれを抽出することができるので、前述の単位時間当たりの書き込みメッセージ数などを算出することができる。
【００９９】
図６は、掲示板データ解析処理を示すフローチャートである。本フローチャートは、単位時間当たりの書き込みメッセージ数を算出する場合のフローチャートである。
【０１００】
ステップＳ２１では、掲示板データ格納部１２１ａに格納された掲示板データから各書き込みメッセージの書き込み時刻を切り出す。ステップＳ２２では、前回の掲示板データ取得時刻以降の書き込みメッセージ数を、放送局ごとにカウントする。ステップＳ２３では、１分間当たりの書き込みメッセージ数を算出し、算出した結果と放送局とを対応付けて表示データ計算一時格納部１２１ｂに格納する。
【０１０１】
図７は、解析結果表示処理を示すフローチャートである。ステップＳ３１では、表示データ計算一時格納部１２１ｂに格納された１分間当たりの書き込みメッセージ数を取得する。ステップＳ３２では、最も書き込みメッセージ数が多い放送局を抽出する。ステップＳ３３では、書き込みメッセージ数が一定数以上であるかどうかを判断する。一定数以上であれば、ステップＳ３４に進み、副チューナ１８をその放送局に選局し、ディスプレイ１９の画面にピクチャインピクチャ形式で表示するように映像合成部１６に指示する。一定数よりも少なければ処理を終了する。
【０１０２】
以下では、設定プログラム１２０ａによる各放送局に対応する掲示板サーバ２の設定手順について説明する。
【０１０３】
図８は、放送局一覧画面を示す図である。この画面には、リモコン操作などにより設定画面から「掲示板サーバ設定」が選択されたときに表示され、テレビ受信装置１においてテレビジョン信号が受信可能な放送局名が一覧表示される。
【０１０４】
具体的には、放送局ごとに設定情報３０が表示される。設定情報３０として、チャンネル番号、画面に表示するチャンネル番号、放送局名が表示されている。これらの対応関係は、別途設定画面で設定できるようにすればよい。
【０１０５】
カーソル３１を動かして、掲示板サーバを設定する放送局を指定する。カーソル３１は、選択されているチャンネルを強調して表示するようにすればよい。またこのカーソル３１は、リモコンに配置されている「△」や「▽」の記号が書かれたボタンが操作されると上下の設定情報３０に移動し、各放送局を自由に選択することができる。カーソル３１で放送局を選択し、その状態でリモコンの「確定」ボタンを押すことで、次の画面へと遷移し、その放送局に対応する掲示板サーバ２を指定できるようになる。また、シンボル３２は、画面に表示されている以上に、設定情報３０が存在することを示す。このシンボル３２が表示されているときに、カーソル３１を最下段に表示されている放送局枠を超えて下に移動しようとすると、画面がスクロールし、隠れていた設定情報が表示される。
【０１０６】
図９は、掲示板サーバ指定画面を示す図である。放送局一覧画面で放送局を選択するとこの画面が表示される。
【０１０７】
アドレス入力領域３３が表示されるので、選択された放送局、この例では「２チャンネル」の「こんにちは放送」局に関連付けたい掲示板サーバ２のアドレスを入力する。表示されている画面の内容に対して、入力した設定を登録するか、登録を中止して前画面に戻るか、掲示板サーバ２に関してさらに詳細な設定を行うかを選択するためのソフトボタン３４が表示される。
【０１０８】
リモコンの上下左右ボタンなどにより、カーソルをアドレス入力領域３３に移動させると、アドレスの入力が可能となり、ソフトボタン３４に移動させると各ボタンを選択することができる。特定のボタンを選択してリモコンの「確定」ボタンをおすことで、それぞれの処理を実行する。
【０１０９】
図１０は、サーバアドレス入力画面を示す図である。カーソルをアドレス入力領域３３に移動させ、文字の入力を行っているときに表示される。
【０１１０】
カーソル３５の表示されている位置にリモコンのボタンで指定されたアルファベットなどの文字が入力される。なお、この例ではサーバアドレスを一文字ずつ入力しているが、予め定められたいくつかのアドレスの中から１つのアドレスを選択するようにしてもよい。
【０１１１】
図１１は、詳細設定画面を示す図である。掲示板サーバ指定画面において、ソフトボタン３４の「詳細」ボタンが選択され、リモコンの「確定」ボタンが押されると表示される。
【０１１２】
時刻区切り記号入力領域３６には、掲示板サーバ２から取得した掲示板データから、各書き込みメッセージの書き込み時刻を切り出す際に、目印とする区切り記号、この例では「＜時刻＞」を入力する。たとえば、掲示板データがＸＭＬデータとして取得されるような場合、書き込み時刻が指定されているＸＭＬタグをここに入力すればよい。
【０１１３】
内容区切り記号入力領域３７には、掲示板サーバ２から取得した掲示板データから、各書き込みメッセージの書き込み内容を切り出す際に、目印とする区切り記号、この例では「＜内容＞」を入力する。
【０１１４】
このように区切り記号をユーザが設定可能とすることで、様々な掲示板サーバが、掲示板サーバの動作を変更することなく設定可能になる。
【０１１５】
この画面でも、入力した設定を登録するか、登録を中止して前画面に戻るかを選択するためのソフトボタン３８が表示される。
【０１１６】
図１２は、キーワード設定画面を示す図である。前述のように、ユーザは、予め注目するキーワードを設定することもできる。リモコンの「キーワード登録」ボタンを押したときにこの画面が表示されるようにプログラムを記述しておけばよい。
【０１１７】
キーワード登録情報３９には、ユーザが入力したキーワードが表示される。また、カーソル４０を移動させて選択することで新たなキーワードを入力することができる。１つのキーワード登録情報３９には、複数のキーワードを入力してもよく、空白やコンマなどの区切り記号を用いてＡＮＤ照合、ＯＲ照合を行うことができる。
【０１１８】
次に掲示板データの解析結果に基づくディスプレイ１９の表示例について説明する。
掲示板データの解析結果としては、単位時間当たりの書き込みメッセージ数を用いる。
【０１１９】
（表示例１）
主チューナ１７における受信局を、書き込みメッセージ数が最も多い放送局に切り替えてディスプレイ１９に、当該放送局の番組を表示させる。
【０１２０】
（表示例２）
副チューナ１８における受信局を、書き込みメッセージ数が最も多い放送局に切り替えてディスプレイ１９に、ピクチャインピクチャ形式で当該放送局の番組を表示させる。
【０１２１】
（表示例３）
表示例２に加え、掲示板データの解析結果の一部を表示する。図１３は、表示例３の表示画面を示す図である。主画面４１には主チューナ１７で受信している放送番組の映像を表示し、副画面４２には副チューナ１８で受信している放送番組の映像を表示する。副チューナ１８における受信局は、表示例２で示したように、書き込みメッセージ数が最も多い放送局である。これに加えて、掲示板データの解析結果の一部を、放送番組の番組情報４３として画面下部に表示する。番組情報４３には、掲示板データの解析結果に基づいて、副画面４２に表示している放送番組のチャンネル４４、番組名４５および書き込みメッセージ数を示すインジケータ４６を表示する。この例では、６チャンネルで放送されている「実況プロ野球」に対する書き込みメッセージ数が最も多いことがわかる。インジケータ４６は、複数のブロックで表示され、書き込みメッセージ数が多いほどブロック数を多く表示する。これによって、視聴者は掲示板にメッセージの書き込みを行っている第三者の番組への注目の度合いを視覚的に判断することができる。
【０１２２】
（表示例４）
ピクチャインピクチャ形式による副画面の表示は行わず、掲示板データの解析結果の一部を表示する。図１４は、表示例４の表示画面を示す図である。主画面４１には主チューナ１７で受信している放送番組の映像を表示する。番組情報４３には、掲示板データの解析結果に基づいて、書き込みメッセージ数が多い上位３番組の情報を表示する。番組情報４３には、各放送番組の情報を書き込みメッセージ数の多い順に上から表示する。各放送番組の情報としては、表示例３と同様に放送番組のチャンネル４４、番組名４５および書き込みメッセージ数を示すインジケータ４６を表示する。３番組のインジケータ４６を同時に表示することで、視聴者は各番組に対する書き込みメッセージ数の相対的な比較を行うことができる。
【０１２３】
（表示例５）
表示例４と同様に、書き込みメッセージ数が多い複数番組の情報を表示し、さらに、視聴者がその中から選択した放送番組を副チューナ１８で受信し、副画面に表示させる。図１５は、表示例５の表示画面を示す図である。主画面４１には主チューナ１７で受信している放送番組の映像を表示する。番組情報４３には、掲示板データの解析結果に基づいて、書き込みメッセージ数が多い上位３番組の情報を表示する。ここで、視聴者がリモコンを操作するなどして、カーソル４７を移動させ、確定することで選択された放送番組、この例では、６チャンネルの「実況プロ野球」が副画面４２に表示される。
【０１２４】
（表示例６）
図１２を用いて説明したように、視聴者が予め注目するキーワードを設定していた場合、設定していたキーワードに一致する文字列が書き込まれたメッセージを表示する。図１６は、表示例６の表示画面を示す図である。主画面４１には主チューナ１７で受信している放送番組の映像を表示し、副画面４２には副チューナ１８で受信している放送番組の映像を表示する。副チューナ１８における受信局は、表示例２で示したように、書き込みメッセージ数が最も多い放送局である。番組情報４３には、掲示板データの解析結果に基づいて、副画面４２に表示している放送番組のチャンネル４４、番組名４５および書き込みメッセージ数を示すインジケータ４６を表示し、さらに、設定していたキーワードに一致する文字列が書き込まれたメッセージ４７を表示する。メッセージ４７は、設定していたキーワードを基に格納している掲示板データから抽出する。
【０１２５】
（表示例７）
書き込みメッセージ数が最も多い放送番組において、書き込みメッセージ数が予め定める値以上になった場合、掲示板に書き込まれたメッセージを表示する。図１７は、表示例７の表示画面を示す図である。主画面４１には主チューナ１７で受信している放送番組の映像を表示する。番組情報４３には、掲示板データの解析結果に基づいて、書き込みメッセージ数が最も多い放送番組のチャンネル４４、番組名４５および書き込みメッセージ数を示すインジケータ４６を表示し、さらに、掲示板に書き込まれた全メッセージ４８を表示する。全メッセージ４８は、格納している掲示板データから抽出する。なお、全メッセージ４８は、一定時間ごとに更新し、最新のメッセージを表することが好ましい。
【０１２６】
これによって、視聴者は、掲示板にメッセージを書き込んでいる第三者が当該放送番組において注目している具体的な内容を確認することができる。
【０１２７】
図１８は、本発明の他の実施形態であるテレビ受信装置５０の構成を示すブロック図である。本実施形態では、図２で示したテレビ受信装置１にさらに放送番組の録画機能が付加されている。ここでは、録画機能に関連する部位について説明し、テレビ受信装置１と同様の動作を行う部位については同じ参照番号を付して説明を省略する。
【０１２８】
ＭＰＥＧ（Moving Picture Experts Group）エンコーダ５１は、副チューナ１８から入力される放送番組などの映像をＭＰＥＧ形式の録画データへとリアルタイムで変換して出力する。ＭＰＥＧデコーダ５２は、録画したＭＰＥＧ形式の映像データを再生するためにデコードする。ＭＰＥＧデコーダ５２により、録画中の番組に対応する録画データをタイムシフト再生し、ピクチャインピクチャ形式で副画面に表示することも可能となっている。
【０１２９】
副チューナ１８は、第１副チューナ１８ａ〜第ｎ副チューナ１８ｎまでの複数の副チューナから構成される。ＭＰＥＧエンコーダ５１に接続され、エンコードされた録画データが記憶部１２の所定の記憶領域に保存される。録画データ格納用記憶装置１７に保存される。なお、常に全放送局の番組を録画しておくことができるように、放送局数と同数以上の副チューナを備えることが好ましい。
【０１３０】
録画データ格納用記憶装置１２３は記憶部１２に備えられ、ＭＰＥＧエンコーダ５１でＭＰＥＧ形式に変換された録画データを保存する。具体的には、ＨＤＤやＤＶＤ−ＲＡＭドライブなど、書き込み可能な大容量の不揮発性記憶装置により構成される。
【０１３１】
録画実行プログラム１２０ｅは、プログラム格納用メモリ１２０に記憶され、リモコンなどで視聴者が録画の指示を行ったとき、所定の録画開始条件が満たされたときなどに副チューナ１８での受信局を選局し、ＭＰＥＧエンコーダ５１に対してエンコード処理を行うよう制御するプログラムである。エンコードされた録画データは録画データ格納用記憶装置１２３に順次保存される。所定の録画開始条件としては、予約された録画開始時刻になったとき、掲示板への単位時間当たりの書き込みメッセージ数が一定数以上になったときなどである。
【０１３２】
録画データ再生プログラム１２０ｆは、リモコンなどで視聴者が録画データの再生を指示したとき、現在録画されている放送番組をタイムシフト再生するとき、ＭＰＥＧデコーダ５２にＭＰＥＧ形式の録画データをデコードさせるよう制御するプログラムである。再生時には録画データと対応付けられて記憶されている番組再生インデックスデータを参照し、任意のチャプターの再生位置へとリモコンのチャプター送りボタンを使ってジャンプできるようにしてもよい。
【０１３３】
録画データ１２３ａは、ＭＰＥＧ形式で保存された放送番組のデータである。再生インデックスデータ１２３ｂは、各録画データ１２３ａに対応付けられて記憶され、録画した番組のチャプター情報を録画データ１２３ａの再生位置と対応付けて記憶する。チャプター情報は、ユーザが録画データを再生させながら任意の再生位置に対してリモコン操作などでチャプター登録してもよいし、掲示板への書き込みメッセージ数が高かった時刻の再生位置に対して、自動的にチャプター登録してもよい。
【０１３４】
録画手段は、ＣＰＵ１１、ＭＰＥＧエンコーダ５１およびプログラム格納用メモリ１２０（録画実行プログラム１２０ｅ）で構成される。
【０１３５】
本実施形態では、前述の表示例１〜７に加えて、録画機能を用いた各種表示が可能となっている。表示例１〜７と同様に掲示板データの解析結果としては、単位時間当たりの書き込みメッセージ数を用いる。
【０１３６】
（表示例８）
表示例３と同様に、書き込みメッセージ数が多い番組の情報を表示し、さらに、書き込みメッセージ数が最も多い放送番組において、書き込みメッセージ数が予め定める値以上になった場合、放送番組を録画する。図１９は、表示例８の表示画面を示す図である。主画面４１には主チューナ１７で受信している放送番組の映像を表示する。番組情報４３には、掲示板データの解析結果に基づいて、書き込みメッセージ数が最も多い放送番組のチャンネル４４、番組名４５および書き込みメッセージ数を示すインジケータ４６を表示し、さらに録画中であることを示すシンボル５３が表示される。録画は、書き込みメッセージ数が一定値以下になるまで継続してもよいし、あらかじめ定められた時間だけ継続するようにしてもよい。
【０１３７】
（表示例９）
表示例３と同様に、書き込みメッセージ数が多い番組の情報を表示し、さらに、ピクチャインピクチャ形式で副画面に数秒前に遡った当該放送番組を表示する。図２０は、表示例９の表示画面を示す図である。主画面４１には主チューナ１７で受信している放送番組の映像を表示する。番組情報４３には、掲示板データの解析結果に基づいて、書き込みメッセージ数が最も多い放送番組のチャンネル４４、番組名４５および書き込みメッセージ数を示すインジケータ４６を表示する。副画面４２には、書き込みメッセージ数が多い番組の数秒前の映像を表示する、いわゆるタイムシフト再生を行う。このときタイムシフト再生中の表示画面であることを示すように、副画面４２に「再生中」の文字表示５４を行う。
【０１３８】
書き込みメッセージ数が増加するのは、注目すべきシーンが表示された数秒後である可能性が高いため、タイムシフト再生を行うのが好ましい。タイムシフト再生に対応するためには、副チューナ１８によって全放送局の放送番組を連続して録画しておく必要がある。またリモコン操作で録画の再生、巻き戻しなどの指示を行ってもよい。録画したデータは再生後すぐに消去し、また次に他の放送番組を録画するときの記憶領域として割り当ててもよい。
【０１３９】
図２１は、録画リストの表示例を示す図である。本実施形態では、録画機能を有しており、受信可能な全放送局の番組を常に録画しておき、後で書き込みメッセージ数が最も多かった番組の録画データだけを残し、他の番組の録画データを消去する。
【０１４０】
リモコンの「録画リスト」ボタンが操作されると画面が表示される。リスト画面には、録画されている録画データごとに番組情報５５が表示される。番組情報には、番組のタイトル、チャンネル、放送日時が表示される。掲示板での書き込みメッセージ数の増加によって自動で録画された録画データの場合は、そのことを示すために、タイトルに「（自動）」の文字を表示する。カーソル５６を移動させ、リモコンの「再生」ボタンが押されると、選択された番組を再生表示することができる。
【０１４１】
自動的に録画された番組を再生する際には、表示例６，７に示したように放送していた時刻に書き込みされたメッセージを番組の再生時間と同期させながら表示させてもよい。この場合、書き込みメッセージを予め録画データと関連付けて記憶しておく必要がある。
【０１４２】
また書き込みメッセージ数が一定数以上となったときの再生位置に対してチャプター情報を録画されたデータに対して作成し、リモコンの頭出しボタンでその位置を頭出しできるようにしてもよい。また再生時に、書き込みメッセージ数が一定数以上となっている時間に対応するシーンだけ再生を行ってもよい。
【０１４３】
さらに、書き込みメッセージ数が一定数以上となっている時間だけ録画する、ダイジェスト録画を行うことも可能である。
【０１４４】
図２２は、録画リストの表示例を示す図である。図２１と同様に、リスト画面には、録画されている録画データごとに番組情報５５が表示される。番組情報には、番組のタイトル、チャンネル、放送日時が表示される。ダイジェスト録画を行った番組に対しては、そのことを示すために、タイトルに「（要約）」の文字を表示する。カーソル５６を移動させ、リモコンの「再生」ボタンが押されると、選択された番組を再生表示することができる。
【０１４５】
図２３は、本発明の他の実施形態であるテレビ制御用端末６１を含む通信システム１０１の構成を示す図である。
【０１４６】
本システムでは、テレビ受信装置１，５０のうち掲示板データの解析を行う部位をテレビ制御用端末６１として独立した装置とし、テレビ受信装置６０は既存のテレビジョン受像機と同様の構成となっている。
【０１４７】
図２４は、テレビ制御用端末６１の構成を示すブロック図である。なお、図２に示したテレビ受信装置１の部位と同じ動作を行う部位については、同じ参照符号を付して説明を省略する。
【０１４８】
テレビ制御用端末６１は、回線終端装置５を介してインターネットに接続し、掲示板サーバ２から取得した掲示板データの解析を行う。解析結果に基づいて、たとえば単位時間当たりの書き込みメッセージ数が最も多かった放送番組を表示させるために、テレビ受信装置６０のリモコン受光部に対し、赤外線送信部６２から赤外線信号を送信することによって主画面に表示させる番組を切り替えたり、ピクチャインピクチャ形式で副画面に表示させる番組を切り替える。
【０１４９】
図２５は、テレビ制御用端末６２の構成を示すブロック図である。なお、図２に示したテレビ受信装置１の部位と同じ動作を行う部位については、同じ参照符号を付して説明を省略する。テレビ制御用端末６２は、図２４で示したテレビ制御用端末６１と同様に、掲示板データの解析を行う部位を独立させた装置である。
【０１５０】
テレビ制御用端末６１は、単にチャンネル切り替え制御を行うことしかできないが、チャンネル切り替えの他、前述のテレビ受信装置１と同様に、テレビ受信装置６０に対して番組情報などを表示させることができる。
【０１５１】
映像出力端子６３は、テレビ受信装置６０の映像入力端子に接続し、テレビ受信装置６０側で映像ソースを外部入力端子に指定したとき、掲示板データの解析結果に基づいてフレームバッファ１４で作成された番組情報をテレビ受信装置６０に出力して表示させる。
【０１５２】
テレビ表示制御信号出力端子６４は、掲示板データの解析結果に基づいてテレビ受信装置６０に対して表示制御信号を送信し、テレビ受信装置６０のチャンネル切り替え、映像ソースを外部入力端子に切り替える制御などを行う。これは赤外線送信手段として構成してもよいし、テレビ受信装置が対応していれば物理的なケーブルを用いて接続してもよい。
【０１５３】
図２６は、本発明の他の実施形態であるテレビ制御用端末６１を含む通信システム１０２の構成を示す図である。
【０１５４】
本システムは、図２３に示した通信システム１０１にテレビ録画装置６５をさらに加えたシステムである。
【０１５５】
テレビ録画装置６５は、テレビ制御用端末６１からのコマンドを受信するインターフェイスを備えた、ハードディスクレコーダ、ＤＶＤレコーダなどで実現される既存の録画装置であり、テレビジョン録画機能を備えたＰＣであってもよい。
【０１５６】
テレビ制御用端末６１は、掲示板データの解析結果に基づいて、図１８に示した録画機能付きのテレビ受信装置５０のように書き込みメッセージ数が最も多い放送番組を録画するために、テレビ録画装置６５の録画動作を制御する。
【０１５７】
図２７は、本発明の他の実施形態であるテレビ制御用端末６１を含む通信システム１０３の構成を示す図である。
【０１５８】
本システムは、ルータ装置６６を備えており、ルータ装置を介してテレビ受信装置６０、テレビ制御用端末６１、テレビ録画装置６５がインターネット３に接続されている。
【０１５９】
ルータ装置６６とテレビ受信装置６０、テレビ制御用端末６１、テレビ録画装置６５との接続は、Ethernetケーブルなどの物理接続ケーブルで接続されていてもよいし、無線ＬＡＮ機能を備えている場合には無線接続されていてもよい。
【０１６０】
テレビ制御用端末６１は、掲示板データの解析結果に基づいてテレビ受信装置６０、テレビ録画装置６５に対して、チャンネル切り替え、録画データ再生表示、ピクチャインピクチャ表示などの操作コマンドをＬＡＮ経由で送信するネットワーク接続機器制御用のセットトップボックスで実現される。
【０１６１】
テレビ受信装置６０は、テレビ制御用端末６１からのコマンドをＬＡＮ経由で受信するインターフェイスを備える。またこのテレビ受信装置６０は、ＤＬＮＡ（Digital Living
Network Alliance）などの規格にしたがってネットワーク経由で受信した録画データを再生表示する機能を有している。
【０１６２】
テレビ録画装置６５は、テレビ制御用端末６１からのコマンドを受信するインターフェイスを備えた、ハードディスクレコーダ、ＤＶＤレコーダなどで実現される既存の録画装置であり、テレビジョン録画機能を備えたＰＣであってもよい。またこのテレビ録画装置６５は、ＤＬＮＡなどの規格にしたがってネットワーク経由で録画データを他の機器に送出する機能を有している。
【０１６３】
図２８は、本発明の他の実施形態であるテレビ受信装置７１および集計サーバ７２を含む通信システム１０４の構成を示す図である。
【０１６４】
本システムでは、掲示板データの収集および解析を行う集計サーバ７０を含んでおり、集計サーバ７０は、テレビ受信装置７１からのＨＴＴＰリクエストなどに応じて解析結果を送信する解析サーバ装置である。
【０１６５】
テレビ受信装置７１は、集計サーバ７０から受信した解析結果に応じて、前述の表示例のような画面表示を行う。
【０１６６】
図２９は、集計サーバ７０の構成を示すブロック図である。なお、図２に示したテレビ受信装置１の部位と同じ動作を行う部位については、同じ参照符号を付して説明を省略する。
【０１６７】
集計サーバ７０は、ＰＣやワークステーションなどで実現され、テレビ受信装置１，５０のうち掲示板データの解析を行う機能を備える。掲示板サーバ１台につき集計サーバ１台、または掲示板サーバ複数台につき集計サーバを１台設置し、定期的に掲示板データへの書き込みメッセージ数などを解析する。
【０１６８】
ＣＰＵ７２は、ＰＣ用などの汎用ＣＰＵで実現され、掲示板データの解析および掲示板サーバ２、テレビ受信装置７１との通信制御などを行う。
【０１６９】
解析結果は、掲示板データ解析結果格納部１２１ｃに格納され、テレビ受信装置７１からリクエストがあったときに解析結果をレスポンスとして返信する。掲示板サーバ２、テレビ受信装置７１とのデータ通信はネットワーク接続部１４を通じて、ＨＴＴＰプロトコルなどで行えばよい。
【０１７０】
図３０は、テレビ受信装置７１の構成を示すブロック図である。なお、図２に示したテレビ受信装置１の部位と同じ動作を行う部位については、同じ参照符号を付して説明を省略する。
【０１７１】
テレビ受信装置７１は、一定時間ごとに集計サーバ７０にリクエストを行い、解析結果を取得して、掲示板データ解析結果格納部１２１ｄに記憶する。記憶した解析結果を用いて前述の表示例のような画面表示を行う。
【０１７２】
本システムでは、テレビ受信装置７１に掲示板データ解析プログラムが不要となる。これにより、掲示板データの解析処理として形態素解析などを行う場合、ＣＰＵの負荷が大きく、単語辞書格納用、プログラム実行用として非常に多くのメモリが要求される。集計サーバを設置することによりこれらが不要となり、ＣＰＵの負荷軽減、メモリ容量の縮小が可能となる。
【図面の簡単な説明】
【０１７３】
【図１】本発明の実施の一形態であるテレビ受信装置１を含む通信システム１００の構成を示す図である。
【図２】テレビ受信装置１の構成を示すブロック図である。
【図３】掲示板データ解析結果表示処理を示すフローチャートである。
【図４】インターネット接続処理を示すフローチャートである。
【図５】掲示板データを説明するための図である。
【図６】掲示板データ解析処理を示すフローチャートである。
【図７】解析結果表示処理を示すフローチャートである。
【図８】放送局一覧画面を示す図である。
【図９】掲示板サーバ指定画面を示す図である。
【図１０】サーバアドレス入力画面を示す図である。
【図１１】詳細設定画面を示す図である。
【図１２】キーワード設定画面を示す図である。
【図１３】表示例３の表示画面を示す図である。
【図１４】表示例４の表示画面を示す図である。
【図１５】表示例５の表示画面を示す図である。
【図１６】表示例６の表示画面を示す図である。
【図１７】表示例７の表示画面を示す図である。
【図１８】本発明の他の実施形態であるテレビ受信装置５０の構成を示すブロック図である。
【図１９】表示例８の表示画面を示す図である。
【図２０】表示例９の表示画面を示す図である。
【０１７４】
【図２１】録画リストの表示例を示す図である。
【図２２】録画リストの表示例を示す図である。
【図２３】本発明の他の実施形態であるテレビ制御用端末６１を含む通信システム１０１の構成を示す図である。
【図２４】テレビ制御用端末６１の構成を示すブロック図である。
【図２５】テレビ制御用端末６２の構成を示すブロック図である。
【図２６】本発明の他の実施形態であるテレビ制御用端末６１を含む通信システム１０２の構成を示す図である。
【図２７】本発明の他の実施形態であるテレビ制御用端末６１を含む通信システム１０３の構成を示す図である。
【図２８】本発明の他の実施形態であるテレビ受信装置７１および集計サーバ７２を含む通信システム１０４の構成を示す図である。
【図２９】集計サーバ７０の構成を示すブロック図である。
【図３０】テレビ受信装置７１の構成を示すブロック図である。
【符号の説明】
【０１７５】
１  テレビ受信装置
２  掲示板サーバ
３  インターネット
４  接続端末
５  回線終端装置
１１  ＣＰＵ（中央演算処理装置）
１２  記憶部
１３  ネットワーク接続部
１４  フレームバッファ
１５  リモコン受光部
１６  映像合成部
１７  主チューナ
１８  副チューナ
１９  ディスプレイ
７２  集計サーバ
１００  通信システム
１２０  プログラム格納用メモリ
１２１  プログラム実行用ワークメモリ
１２２  データ記憶用不揮発性メモリ
【図１】
2007060305.tif 000003
【図２】
2007060305.tif 000004
【図３】
2007060305.tif 000005
【図４】
2007060305.tif 000006
【図５】
2007060305.tif 000007
【図６】
2007060305.tif 000008
【図７】
2007060305.tif 000009
【図８】
2007060305.tif 000010
【図９】
2007060305.tif 000011
【図１０】
2007060305.tif 000012
【図１１】
2007060305.tif 000013
【図１２】
2007060305.tif 000014
【図１３】
2007060305.tif 000015
【図１４】
2007060305.tif 000016
【図１５】
2007060305.tif 000017
【図１６】
2007060305.tif 000018
【図１７】
2007060305.tif 000019
【図１８】
2007060305.tif 000020
【図１９】
2007060305.tif 000021
【図２０】
2007060305.tif 000022
【図２１】
2007060305.tif 000023
【図２２】
2007060305.tif 000024
【図２３】
2007060305.tif 000025
【図２４】
2007060305.tif 000026
【図２５】
2007060305.tif 000027
【図２６】
2007060305.tif 000028
【図２７】
2007060305.tif 000029
【図２８】
2007060305.tif 000030
【図２９】
2007060305.tif 000031
【図３０】
2007060305.tif 000032